(57)【要約】【課題】携帯情報端末装置の大型化することなく、使用者が自分又は自分と反対側にある被写体をそれぞれ別々に又は同時に撮影することができ、しかも撮影するための操作が比較的容易な携帯情報端末装置を提供する。【解決手段】携帯情報端末装置１を形成する筐体２内に撮影用レンズ９と撮像素子１０を配置し、筐体２の一方の主面２ａに第一の撮影用透過窓７を、筐体２の他方の主面２ｂに第二の撮影用透過窓８をそれぞれ設け、かつ上記第一の撮影用透過窓７と第二の撮影用透過窓８との間にスライド片１１をスライド可能に具備させ、上記スライド片１１には上記第一の撮影用透過窓７から取り込まれた映像を上記撮像素子１０に反射させる第一の反射面１１ａと上記第二の撮影用透過窓８から取り込まれた映像を上記撮像素子１０に反射させる第二の反射面１１ｂを設ける。【選択図】図１
2004013322.tif 000002
【特許請求の範囲】
【請求項１】
筐体内に撮影用レンズと撮像素子を備え、上記筐体の一方の主面には第一の撮影用透過窓を有するとともに、上記筐体の他方の主面には第二の撮影用透過窓を有し、かつ上記第一の撮影用透過窓と第二の撮影用透過窓との間にスライド片をスライド可能に配置してなり、上記スライド片には上記第一の撮影用透過窓から取り込まれた映像を上記撮像素子に反射させる第一の反射面と上記第二の撮影用透過窓から取り込まれた映像を上記撮像素子に反射させる第二の反射面を有することを特徴とする携帯情報端末装置。
【請求項２】
上記筐体の一方の主面に表示部を有することを特徴とする請求項１に記載の携帯情報端末装置。
【請求項３】
上記スライド片のスライド量を調整することにより、上記第一の撮影用透過窓側の映像、上記第二の撮影用透過窓側の映像、及び双方の映像をそれぞれ選択して撮影又は表示することを特徴とする請求項１又は請求項２に記載の携帯情報端末装置。
【請求項４】
上記筐体の両側面にはそれぞれ切欠き部を有し、各切欠き部より上記スライド片の端部が突出していることを特徴とする請求項１乃至請求項３のいずれかに記載の携帯情報端末装置。
【発明の詳細な説明】
【０００１】
【発明の属する技術分野】
本発明は、携帯電話機やＰＤＡ（Ｐｅｒｓｏｎａｌ　Ｄｉｇｉｔａｌ　Ａｓｓｉｓｔａｎｔｓ）等のカメラ機能付き携帯情報端末装置に関するものである。
【０００２】
【従来の技術】
近年、携帯電話機やＰＤＡ（Ｐｅｒｓｏｎａｌ　Ｄｉｇｉｔａｌ　Ａｓｓｉｓｔａｎｔｓ）等の携帯情報端末装置の普及に伴い、情報端末装置としての本来の機能に加え、付加的な機能を追加したものが種々提案されており、その一つにカメラ機能を備えたものがある。
【０００３】
カメラ機能を備えた携帯情報端末装置としては、装置本体を形成する筐体内に撮像素子を備えるとともに、上記筐体のうち、表示部、受話部、キー操作部、送話部を備えた正面側に撮影用レンズを備えたものや逆に筐体の背面側に撮影用レンズを備えたもの、あるいは筐体とは別に用意された撮影用レンズと撮像素子を備えたカメラユニットを上記筐体に接続するようにしたものが知られている。そして、これらの携帯情報端末装置は、撮影用レンズを介して撮像素子に取り込んだ映像を表示部に表示させるとともに、必要に応じて映像を撮影することができるようになっていた。
【０００４】
しかしながら、筐体の正面側に撮影用レンズを備えたものでは、表示部が撮影用レンズと同じ面側にあるため、使用者が筐体正面側にある被写体、例えば使用者自身を撮影する場合、表示部を見ながら撮りたい映像を容易に撮影することができるものの、使用者が筐体正面以外の位置にある被写体を撮影する場合、表示部を使用者側に向けることができないため、被写体を正確にとらえて撮影することができないといった課題があった。
【０００５】
また、筐体の背面側に撮影用レンズを備えたものでは、表示部が撮影用レンズと反対側にあるため、使用者が筐体背面側にある被写体を撮影する場合、表示部を見ながら撮りたい映像を容易に撮影することができるものの、使用者が筐体背面以外の位置にある被写体、例えば使用者自身を撮影する場合、表示部を使用者側に向けることができないため、被写体を正確にとらえて撮影することができないといった課題があった。
【０００６】
さらに、撮影用レンズと撮像素子を備えたカメラユニットを筐体に接続するようにしたものでは、カメラユニットの向きを自由に変更することができるため、使用者は表示部を見ながらさまざまな方向にある被写体を比較的容易に撮影することができるものの、携帯情報端末装置とともにカメラユニットを別途携帯しなければならず不便であり、また、コンパクト性、収納性、操作性、コスト等の面でも不都合があった。
【０００７】
そこで、このような問題点を解消する携帯情報端末装置として次のようなものが提案されている。
【０００８】
特開２００２−１１１８３４公報や特開２００２−１２５００８公報には、撮影用レンズと撮像素子を備えたカメラユニットを筐体に回転可能に取着したものが提案されている。この技術によれば、カメラユニットが筐体内に一体的に設けられているため、携帯性、収納性、操作性を改善することができる。
【０００９】
また、特開２００１−３２０４５４公報には、筐体内に撮像素子を備えるとともに、表示部、受話部、キー操作部、送話部を備えた筐体正面側に撮影用レンズを備え、かつ筐体背面から筐体正面を見ることができる光学ファインダを設けたものが提案されている。この技術によれば、従来問題とされていた使用者以外の被写体の撮影も比較的容易に行うことができるとともに、携帯性、収納性、操作性を改善することができる。
【００１０】
【発明が解決しようとする課題】
ところが、特開２００２−１１１８３４公報や特開２００２−１２５００８公報に開示された携帯情報端末装置のように、カメラユニットを筐体に回転可能に設けるためには回転機構が必要であり、このような回転機構を設けることは構造が複雑になるとともに筐体が大型化し、近年要求されている小型化、軽量化を十分に満足することが難しいといった課題があった。
【００１１】
しかも、カメラユニットに接続する配線を、回転機構を介して筐体内へ引き出すことは構造をさらに複雑化させるため、生産性を高めることが難しく、それ故、高価なものになってしまうといった課題があった。
【００１２】
一方、特開２００１−３２０４５４公報に開示された携帯情報端末装置では、撮影用透過窓とは別に光学ファインダを設けるための空間を筐体に設ける必要があるために、近年要求されている小型化、軽量化を十分に満足することが難しいといった課題があった。
【００１３】
【課題を解決するための手段】
そこで、上記課題に鑑み、本発明の携帯情報端末装置は、筐体内に撮影用レンズと撮像素子を配置し、上記筐体の一方の主面に第一の撮影用透過窓を設けるとともに、上記筐体の他方の主面に第二の撮影用透過窓を設け、かつ上記第一の撮影用透過窓と第二の撮影用透過窓との間にスライド片をスライド可能に具備させ、上記スライド片には上記第一の撮影用透過窓から取り込まれた映像を上記撮像素子に反射させる第一の反射面と上記第二の撮影用透過窓から取り込まれた映像を上記撮像素子に反射させる第二の反射面を設けたことを特徴とする。
【００１４】
なお、上記携帯情報端末装置を構成する筐体の一方の主面には表示部を設けることが好ましく、上記スライド片のスライド量を調整することにより、上記第一の撮影用透過窓側の映像、上記第二の撮影用透過窓側の映像、及び双方の映像をそれぞれ選択して撮影又は表示することができる。また、筐体の両側面にはそれぞれ切欠き部を形成し、各切欠き部より上記スライド片の端部が突出するように構成することが好ましい。
【００１５】
【発明の実施の形態】
以下、本発明の実施形態について説明する。
【００１６】
図１は本発明の携帯情報端末装置の一例である携帯電話機を示す図で、（ａ）は正面図、（ｂ）は裏面図である。図２は図１の携帯情報端末装置により使用者側にある被写体を撮影する時の状態を示す図で、（ａ）は断面図、（ｂ）は主要部の斜視図であり、図３は図１の携帯情報端末装置により使用者側にある被写体を撮影する際の原理を示す説明図である。図４は図１の携帯情報端末装置により使用者と反対側にある被写体を撮影する時の状態を示す図で、（ａ）は断面図、（ｂ）は主要部の斜視図であり、図５は図１の携帯情報端末装置により使用者と反対側にある被写体を撮影する際の原理を示す説明図である。
【００１７】
この携帯情報端末装置１は、主面の形状が略矩形状をした筐体２からなり、一方の主面２ａ側の中央には液晶表示装置等の表示部３を有するとともに、上記一方の主面２ａ側の下方には、操作あるいは情報を入力するためのキー操作部４及び送話部５を備え、かつ上記一方の主面２ａ側の上方には、受話部６と第一の撮影用透過窓７を具備している。
【００１８】
また、他方の主面２ｂ側でかつ第一の撮影用透過窓７と対向する位置には第二の撮影用透過窓８を備えている。なお、ここで、主面とは筐体２を形成する面のうち最も大きな面積を占める面のことを指し、図１では２面存在する。
【００１９】
また、筐体２内には撮影用レンズ９とＣＣＤやＣＭＯＳ等の撮像素子１０を備え、撮像素子１０の映像取り込み側を筐体２の上方端面に向けて設置するとともに、映像取込み側に撮影用レンズ９を配置してある。
【００２０】
さらに、筐体２には上記第一の撮影用透過窓７と第二の撮影用透過窓８の間でかつ筐体２の両側面を貫通するスライド片１１を備え、このスライド片１１は筐体２の幅方向にスライド可能に構成してある。
【００２１】
スライド片１１には第一の撮影用透過窓７より取り込まれた映像を撮像素子１０へ反射させるための第一の反射面１１ａと第二の撮影用透過窓８より取り込まれた映像を撮像素子１０へ反射させるための第二の反射面１１ｂとを備え、第一及び第二の反射面１１ａ，１１ｂは隣り合わせに形成してある。
【００２２】
図１では第一の撮影用透過窓８側から見た場合、左側に第二の反射面１１ｂ、右側に第一の反射面１１ａが位置するようにスライド片１１に形成してある。第一及び第二の反射面１１ａ，１１ｂはそれぞれスライド片１１の外周面を切り欠いて形成してあり、各反射面１１ａ，１１ｂは平坦かつ平滑で鏡面に仕上げられている。そして、撮影用レンズ９、撮像素子１０、第一及び第二の反射面１１ａ，１１ｂ、並びに第一及び第二の撮影用透過窓７，８とでカメラ機構を構成するようになっている。
【００２３】
撮像素子１０は制御部（不図示）を構成する回路基板１２を介して表示部３と接続してあり、撮像素子１０に取り込まれた映像を表示部３に表示させることができるようになっている。また、上記回路基板１２には記憶部（不図示）を備え、撮像素子１０によって撮影された映像情報をデジタル情報として記憶することができるとともに、上記デジタル情報を表示部３に表示させることができる機能も有している。
【００２４】
ところで、スライド片１１は略円柱状体をなし、筐体２を形成する第一のカバーに設けられた第一のガイド部２ｃと、筐体２を形成する第二のカバーに設けられた第二のガイド部材２ｄとで形成される穴に挿通支持させており、スライド片１１の外周両端部に設けられた凸部１１ｃを第二のガイド部２ｄに形成された凹部２１に係合させることにより回転を防止しつつスライドさせることができるようになっている。また、スライド片１１の外周両端部に設けられた突起１１ｄはストッパで、スライド片１１をスライドさせる際、上記第二のガイド部２ｄに当たることによりある一定以上スライドしないように形成してある。
【００２５】
その為、図１に示すように、スライド片１１の端面を押下して第一の撮影用透過窓７側から見てスライド片１１を左側にスライドさせた場合、図２（ａ）（ｂ）に示すように、第一の撮影用透過窓７と第二の撮影用透過窓８との間には第一の反射面１１ａが位置し、図３に示すように、第一の撮影用透過窓７より取り込まれる映像を第一の反射面１１ａで反射させ、撮影用レンズ９を介して撮像素子１０に導き、第一の撮影用透過窓７側にある被写体を表示部３に表示させることができるとともに、写したい被写体を表示部３を見ながら簡単に撮影することができる。この時、第二の撮影用透過窓８より取り込まれる映像は撮像素子１０に導くことができないようになっている。
【００２６】
また、図１とは逆にスライド片１１の端面を押下して第一の撮影用透過窓７側から見てスライド片１１を右側にスライドさせた場合、図４（ａ）（ｂ）に示すように、第一の撮影用透過窓７と第二の撮影用透過窓８との間には第二の反射面１１ｂが位置し、図５に示すように、第二の撮影用透過窓７より取り込まれる映像を第二の反射面１１ｂで反射させ、撮影用レンズ９を介して撮像素子１０に導き、第二の撮影用透過窓８側にある被写体を表示部３に表示させることができるとともに、写したい被写体を表示部３を見ながら簡単に撮影することができる。なお、撮像素子１０に取り込まれた映像は、第一の反射面１１ａで反射されて入射する映像とは異なる向きで取り込まれることになるが、表示部３に表示する際には制御部で画像処理し、第一の反射面１１ａで反射されて入射する映像と同じ向きに表示させることができるようになっている。また、第一の撮影用透過窓７より取り込まれる映像は撮像素子１０に導くことができないようになっている。
【００２７】
このように、本発明の携帯情報端末装置１によれば、第一及び第二の反射面１１ａ，１１ｂを備えるスライド片１１のスライドだけで第一又は第二の撮影用透過窓７，８から取り込む映像を切り換えることができ、操作が簡単であるとともに、筐体２の一方の主面２ａ側又は筐体２の他方の主面２ｂ側にある被写体を表示部３を見ながら容易に撮影することができる。
【００２８】
また、撮像素子１０は筐体２内に固定しておくことができるため、撮像素子１０の配線の引き出しがきわめて簡単であり、特別な機構等が不要であるため、携帯情報端末装置１の設計が容易であり、それ故、生産性を向上させることができ、安価に製造することができる。
【００２９】
その上、撮像素子１０を撮影用透過窓の真後ろに配置する必要がないため、筐体２の厚みを薄型化するのにも貢献することができ、近年要求されている携帯情報端末装置１の小型化、薄型化の要求を満足することができる。
【００３０】
また、本発明の携帯情報端末装置１は、図６に示すように、第一の撮影用透過窓７と第二の撮影用透過窓８との間にスライド片１１の第一の反射面１１ａと第二の反射面１１ｂとの境界部が位置するようにスライド片１１を移動させることにより、図７に示すように、撮像素子１０には第一の撮影用透過窓７から取り込まれた映像と第二の撮影用透過窓８から取り込まれた映像の両方を同時に取り込むことができ、表示部３に双方の映像を表示させることができるとともに、双方の映像を同時に撮影することもできる。ただし、撮像素子１０に取り込んだ映像をそのまま表示部３に表示させたり撮影すると、双方の映像の向きが異なるため、制御部により例えば第二の反射面１１ｂで反射された映像を反転させる処理を施すことにより第一の撮影用透過窓７及び第二の撮影用透過窓８から各々取り込まれた映像の向きを揃えて２つの映像を表示部３に表示又は撮影することができるようになっている。
【００３１】
さらに、筐体側面のスライド片１１が貫通する部位には切欠き凹部２ｅを形成してある。その為、スライド片１１の長さを筐体２の幅と同等以下の長さとしてもスライド操作を容易に行うことができるとともに、スライド片１１の長さを筐体２の幅より長くする必要がないため、携帯情報端末装置１の大型化を防止することができる。
【００３２】
以上、本発明の実施形態について示したが、本発明は上述した実施形態だけに限定されるものではなく、例えば、撮像用レンズ９を撮像素子１０とスライド片１１との間に配置した例を示したが、第一の撮影用透過窓７とスライド片１１との間及び第二の撮影用透過窓８とスライド片１１との間にそれぞれ配置しても良く、さらには第一及び第二の撮影用透過窓８，９がそれぞれ撮影用レンズとしての機能を備えたものであっても構わない。また、撮影用レンズを第一又は第二の撮影用透過窓７，８とスライド片１１との間に配置するか、あるいは第一又は第二の撮影用透過窓８，９に撮影用レンズの機能を持たせたものにあっては、焦点距離が同じあるいは焦点距離が異なるレンズを用いても構わない。
【００３３】
また、本発明の実施形態ではストレートタイプの携帯電話機を例にとって説明したが、折り畳みタイプの携帯電話機にも適用できることは勿論のこと、近年普及しつつあるＰＤＡ（Ｐｅｒｓｏｎａｌ　Ｄｉｇｉｔａｌ　Ａｓｓｉｓｔａｎｔｓ）にも用いることができ、さらに通信機能を活用することにより撮影した映像信号を第三者の携帯電話機やＰＤＡあるいはパーソナルコンピュータ等の携帯情報端末装置へ送ることもでき、コミュニケーションの場をさらに広げることが可能となる。
【００３４】
【発明の効果】
以上のように、本発明によれば、筐体内に撮像素子を配置し、上記筐体の一方の主面に第一の撮影用透過窓を設けるとともに、上記筐体の他方の主面に第二の撮影用透過窓を設け、かつ上記第一の撮影用透過窓と第二の撮影用透過窓との間にスライド片をスライド可能に具備させ、上記スライド片には上記第一の撮影用透過窓から取り込まれた映像を上記撮像素子に反射させる第一の反射面と上記第二の撮影用透過窓から取り込まれた映像を上記撮像素子に反射させる第二の反射面を設けて携帯情報端末装置を構成するようにしたことから、筐体を大型化することなく筐体の一方の主面側又は筐体の他方の主面側にある被写体をそれぞれ別々に又は同時に撮影することができるとともに、使用者が撮影を容易に行うことができる。
【００３５】
また、携帯情報端末装置を構成する筐体の一方の主面には表示部を設けるようにしたことから、撮像素子に取り込まれた被写体を表示部に表示させることができるため、被写体の撮影にあたっては表示部を見ながら被写体のアングル等を決定することができ、撮影を容易に行うことができるようにすることができる。
【００３６】
さらに、携帯情報端末装置を構成する筐体の両側面にそれぞれ切欠き部を形成し、各切欠き部より上記スライド片の端部が突出するように構成したことから、スライド片の長さを筐体の幅よりも長くしなくてもスライド片の操作を行うことができるため、筐体の大型化を防止することができる。
【図面の簡単な説明】
【図１】本発明の携帯情報端末装置の一例である携帯電話機を示す図で、（ａ）は正面図、（ｂ）は裏面図である。
【図２】図１の携帯情報端末装置により使用者側にある被写体を撮影する時の状態を示す図で、（ａ）は断面図、（ｂ）は主要部の斜視図である。
【図３】図１の携帯情報端末装置により使用者側にある被写体を撮影する際の原理を示す説明図である。
【図４】図１の携帯情報端末装置により使用者と反対側にある被写体を撮影する時の状態を示す図で、（ａ）は断面図、（ｂ）は主要部の斜視図である。
【図５】図１の携帯情報端末装置により使用者と反対側にある被写体を撮影する際の原理を示す説明図である。
【図６】図１の携帯情報端末装置により使用者及び使用者と反対側にある被写体を同時に撮影するための状態を示す主要部の斜視図である。
【図７】図１の携帯情報端末装置により使用者及び使用者と反対側にある被写体を同時に撮影するための原理を示す説明図である。
【符号の説明】
１：携帯情報端末装置　２：筐体　２ａ：筐体の一方の主面
２ｂ：筐体の他方の主面　２ｃ：第一のガイド部材　２ｄ：第二のガイド部材
２ｅ：切欠き凹部　３：表示部　４：キー操作部　５：送話部　６：受話部
７：第一の撮影用透過窓　８：第二の撮影用透過窓　９：撮影用レンズ
１０：撮像素子　１１：スライド片　１１ａ：第一の反射面
１１ｂ：第二の反射面　１１ｃ：凸部　１１ｄ：突起　２１：凹部
【図１】
2004013322.tif 000003
【図２】
2004013322.tif 000004
【図３】
2004013322.tif 000005
【図４】
2004013322.tif 000006
【図５】
2004013322.tif 000007
【図６】
2004013322.tif 000008
【図７】
2004013322.tif 000009